(57)【要約】      （修正有）【課題】股の曲線が修飾でき、且つ着用時の快適性を向上させる括りズボン（ガードル）の提供。【解決手段】内外層弾性布を切って縫って前襟１１と後襟１２と底襟と有する括りズボン１であって、前記後襟の中央線から両側までに円弧形状の単層集中部１２１が形成してあり、前記単層集中部の周囲を縫って固定することにより、使用者が括りズボンを着用したときには、股部が両側から前記単層集中部へ押えられることを特徴とする。【選択図】図１
0003115044.tif 000002
【実用新案登録請求の範囲】
【請求項１】
内外層弾性布を切って縫って前襟と後襟と底襟と有する括りズボンであって、
前記後襟の中央線から両側までに円弧形状の単層集中部が形成してあり、
前記単層集中部の周囲を縫って固定することにより、使用者が括りズボンを着用したときには、股部が両側から前記単層集中部へ押えられることを特徴とする、
括りズボン。
【請求項２】
前記単層集中部は、後襟の外層弾性布に円弧形状の欠け口を開設して内層弾性布を露出して構成したことを特徴とする、請求項１に記載の括りズボン。
【請求項３】
前記単層集中部の周囲は弾性なしの糸で縫って固定したことを特徴とする、請求項１に記載の括りズボン。
【請求項４】
前記前襟の内外層弾性布は、弾性を持ちメッシュ状を呈するマイナスイオン布で作製されたことを特徴とする、請求項１に記載の括りズボン。
【請求項５】
前記後襟の内外層弾性布は、弾性を持ちメッシュ状を呈するマイナスイオン布で作製されたことを特徴とする、請求項１に記載の括りズボン。
【請求項６】
前記底襟はナノ光触媒布で作製されたことを特徴とする、請求項１に記載の括りズボン。
【請求項７】
前記底襟は弾性を持ちメッシュ状を呈するマイナスイオン布で作製されたことを特徴とする、請求項１に記載の括りズボン。
【請求項８】
前記底襟は、外側が前襟と後襟との下方にそれぞれ連接し、且つ股を修飾するための股括り管が延在してあることを特徴とする、請求項１に記載の括りズボン。
【請求項９】
前記股括り管は、外層弾性布が弾性を持ちメッシュ状を呈するマイナスイオン布を使用し、内層弾性布が吸湿性および汗排出性を持つ布を使用することを特徴とする、請求項８に記載の括りズボン。
【請求項１０】
前記股括り管の下端には波形状のレースが付けてあることを特徴とする、請求項８に記載の括りズボン。
【請求項１１】
前記前襟と後襟との上端には腰括り部を設けてもいいことを特徴とする、請求項１に記載の括りズボン。
【請求項１２】
前記前襟の中央には腹部を修飾するための前中部が設けてあることを特徴とする、請求項１に記載の括りズボン。
【考案の詳細な説明】
【技術分野】
【０００１】
本考案は、括りズボン(ガードル)に係り、特に、括りズボンの後襟の中央線から両側までにほぼハート形状の単層集中部を設けることにより、股の曲線が修飾され、且つエヤ透過性が向上したので、着用時の快適性が向上する括りズボンに関するものである。
【背景技術】
【０００２】
綺麗を追求することは女性の天性であるが、飲食の習慣と、年齢の増加と、環境の悪化となどの原因で、女性の身体の曲線はどんどん肥満になり、特に身体の下半部はもっと酷いので、括りズボンが発明された。
【０００３】
一般の括りズボンの機能は、女性の身体の下半部の曲線を修飾し、すなわち、腰部と腹部と股部となどの部位に対してそれらの曲線を修飾する。
【０００４】
目下、市販している括りズボンは、寸法と、布の材質と、縫い方式と、支持しようとする部位とは異なるが、その共通の目的は腰部と腹部と股部となどの部位に対してそれらの曲線を修飾する。
【０００５】
しかしながら、各女性の股部の形は異なり、多くの女性の股部は緩みや垂れなどの問題があり、且つ一般の括りズボンは股部に対して加圧し括るだけであるので、股部の曲線を綺麗に修飾することができなく、逆に股部が圧迫されて活動は不自由になることがあり、更に股部の曲線が悪化することもあった。
【０００６】
また、一般の括りズボンに使用される布は一定の厚さを有し、特に括りズボンの後襟に位置する股部の真ん中の溝には汗が出やすいので、厚すぎる布で作製された括りズボンを着用すると、エヤ透過性が良くないので、婦人病を起こす可能性があり、だが、薄すぎる布で作製された括りズボンを着用すると、括りズボンの予定の括り効果が良くない。
【考案の開示】
【考案が解決しようとする課題】
【０００７】
しかしながら、これは次のような課題がある。
（１）各女性の股部の形は異なり、多くの女性の股部は緩みや垂れなどの問題があり、且つ一般の括りズボンは股部に対して加圧し括るだけであるので、股部の曲線を綺麗に修飾することができなく、逆に股部が圧迫されて活動は不自由になることがあり、更に股部の曲線が悪化することもあった。
【０００８】
（２）一般の括りズボンに使用される布は一定の厚さを有し、特に括りズボンの後襟に位置する股部の真ん中の溝には汗が出やすいので、厚すぎる布で作製された括りズボンを着用すると、エヤ透過性が良くないので、婦人病を起こす可能性があり、だが、薄すぎる布で作製された括りズボンを着用すると、括りズボンの予定の括り効果が良くない。
【課題を解決するための手段】
【０００９】
上記欠点を解決するためになされた本願の第１考案は、内外層弾性布を切って縫って前襟と後襟と底襟と有する括りズボンであって、前記後襟の中央線から両側までに円弧形状の単層集中部が形成してあり、前記単層集中部の周囲を縫って固定することにより、使用者が括りズボンを着用したときには、股部が両側から前記単層集中部へ押えられることを特徴とする括りズボンであることを要旨としている。
【００１０】
本願の第２考案では、前記単層集中部は、後襟の外層弾性布に円弧形状の欠け口を開設して内層弾性布を露出する構成にしてもいいことを特徴とする第１考案に記載の括りズボンであることを要旨としている。
【００１１】
本願の第３考案では、前記単層集中部の周囲は弾性なしの糸で縫って固定したことを特徴とする第１考案に記載の括りズボンであることを要旨としている。
【００１２】
本願の第４考案では、前記前襟の内外層弾性布は、弾性を持ちメッシュ状を呈するマイナスイオン布で作製されたことを特徴とする第１考案に記載の括りズボンであることを要旨としている。
【００１３】
本願の第５考案では、前記後襟の内外層弾性布は、弾性を持ちメッシュ状を呈するマイナスイオン布で作製されたことを特徴とする第１考案に記載の括りズボンであることを要旨としている。
【００１４】
本願の第６考案では、前記底襟はナノ光触媒布で作製されたことを特徴とする第１考案に記載の括りズボンであることを要旨としている。
【００１５】
本願の第７考案では、前記底襟は弾性を持ちメッシュ状を呈するマイナスイオン布で作製されたことを特徴とする第１考案に記載の括りズボンであることを要旨としている。
【００１６】
本願の第８考案では、前記底襟は、外側が前襟と後襟との下方にそれぞれ連接し、且つ股を修飾するための股括り管が延在してあることを特徴とする第１考案に記載の括りズボンであることを要旨としている。
【００１７】
本願の第９考案では、前記股括り管は、外層弾性布が弾性を持ちメッシュ状を呈するマイナスイオン布を採用し、内層弾性布が吸湿性および汗排出性を持つ布を採用することを特徴とする第８考案に記載の括りズボンであることを要旨としている。
【００１８】
本願の第１０考案では、前記股括り管の下端には波形状のレースが付けてあることを特徴とする第８考案に記載の括りズボンであることを要旨としている。
【００１９】
本願の第１１考案では、前記前襟と後襟との上端には腰括り部を設けてもいいことを特徴とする第１考案に記載の括りズボンであることを要旨としている。
【００２０】
本願の第１２考案では、前記前襟の中央には腹部を修飾するための前中部が設けてあることを特徴とする第１考案に記載の括りズボンであることを要旨としている。
【考案の効果】
【００２１】
本考案に係る括りズボンによれば、括りズボンの後襟の中央線から両側までにほぼハート形状の単層集中部を設けることにより、股の曲線が修飾され、且つエヤ透過性が向上したので、着用時の快適性が向上する。
【考案を実施するための最良の形態】
【００２２】
以下、添付図面を参照して本考案の好適な実施の形態を詳細に説明する。
【００２３】
まず、図１乃至図２を参照する。図１は本考案に係る括りズボンが着用された状態を示す概略図であり、図２は本考案に係る括りズボンの正面図である。本考案に係る括りズボン１は、内外層弾性布を切って縫って前襟１１と後襟１２と底襟１３と有する構造であって、前記底襟１３の外側と、前襟１１と後襟１２との下方とには股の曲線を修飾するための股括り管１４が延在してあり、前記股括り管１４の下端には波形状のレースが付けてあり、前記前襟１１と後襟１２との上端には腰括り部１５が設けてあり、前記前襟１１の中央には腹部を修飾するための前中部１６が設けてあり、前記前中部１６の両側は上部が互いに平行して下部には互いに接近し、また、前記前襟１１の両側と股括り管１４との間には弾性段１７が設けてあり、これにより、股の運動が自在になる。
【００２４】
また、図１と図３を参照する。前記後襟１２の中央線から両側までに円弧形状の単層集中部１２１が形成してあり、前記単層集中部１２１は、後襟１２の外層弾性布に円弧形状の欠け口を開設して内層弾性布を露出する構成であり、図４に示すように、前記単層集中部１２１の周囲は弾性なしの糸で縫って固定し、これにより、使用者が括りズボン１を着用したときには、股部が両側から前記単層集中部１２１へ押えられ、且つエヤ透過性が向上したので、着用時の快適性が向上になる。
【００２５】
だから、本考案は、前記後襟１２の中央線から両側までに円弧形状の単層集中部１２１が形成してあるので、使用者が括りズボン１を着用したときには、股部の足に接近する余計な筋肉が前記単層集中部１２１へ押えられて中央に集中し、これにより、股部全体の曲線が綺麗になる。
【００２６】
また、前記前襟１１と後襟１２との内外層弾性布は弾性を持ちメッシュ状を呈するマイナスイオン布を採用してもよく、前記底襟１３はマイナスイオン布またはナノ光触媒布を採用してもよく、本考案に係る股括り管１４は、外層弾性布は弾性を持ちメッシュ状を呈するマイナスイオン布を採用し、内層弾性布は吸湿性および汗排出性を持つ布を採用し、上記マイナスイオン布と、ナノ光触媒布と、吸湿性および汗排出性を持つ布との特性により、使用者が括りズボン１を着用したときには、着用時の快適性が向上になる。
【００２７】
上記説明から明らかなように、本考案に係る括りズボン１は、内外層弾性布を切って縫って前襟１１と後襟１２と底襟１３と有する構造であって、前記後襟１２の中央線から両側までに円弧形状の単層集中部１２１が形成してあり、本考案に係る単層集中部１２１により、使用者が括りズボン１を着用したときには、股部の足に接近する余計な筋肉が前記単層集中部１２１へ押えられて中央に集中し、且つ前記単層集中部１２１の周囲は弾性なしの糸で縫って固定し、これにより、股部全体の曲線が綺麗になる。
【図面の簡単な説明】
【００２８】
【図１】本考案に係る括りズボンが着用された状態を示す概略図である。
【図２】本考案に係る括りズボンの正面図である。
【図３】本考案に係る括りズボンの背面図である。
【図４】本考案に係る単層集中部の断面図である。
【符号の説明】
【００２９】
１        括りズボン                １１      前襟
１２      後襟                      １３      底襟
１４      股括り管                  １５      腰括り部
１６      前中部                    １７      弾性段
１２１    単層集中部
【図１】
0003115044.tif 000003
【図２】
0003115044.tif 000004
【図３】
0003115044.tif 000005
【図４】
0003115044.tif 000006